(57)【要約】【課題】  節句用飾りに供される鎧・兜の飾り付けを有効に行ない得ることができる芯木を提供する。【解決手段】  台盤と、芯柱と，鎧掛横木と，兜載台とから構成される節句用飾り鎧兜の芯木であって、前記台盤の中央部位に前記芯柱の基部を固着して台盤上に前記芯柱を直立した状態で立設させ、かつ、前記芯柱の中間部よりやや上部に鎧飾りの胴部の整形を可能にするための一本及び二本もしくは三本の本数で構成される前記鎧掛横木が水平な状態で取り付けられ、前記芯柱の頂部には、前記兜載台が水平な状態で固着されることを特徴とする。【選択図】図１
0003135079.tif 000002
【実用新案登録請求の範囲】
【請求項１】
台盤と，芯柱と，鎧掛横木と，兜載台とから構成される節句用飾り鎧兜の芯木であって、前記台盤の中央部位に前記芯柱の基部を固着して、台盤上に前記芯柱を直立した状態で立設させ、かつ、前記芯柱の中間部よりやや上部に鎧飾りの胴部の整形を可能にするための一本及び二本もしくは三本の本数で構成される前記鎧掛横木が水平な状態で取り付けられ、前記芯柱の頂部には、前記兜載台が水平な状態で固着されることを特徴とする節句用飾り鎧兜の芯木。
【考案の詳細な説明】
【技術分野】
【０００１】  本考案は、節句飾りとして作られている鎧，兜（甲冑）を飾り付けるための節句用飾り鎧兜の芯木に関する。
【背景技術】
【０００２】  日本の甲冑（鎧，兜）は、武具として、時には威儀的に用い、その時代の世情を背景として構成・構造が変化発達してきたものである。【０００３】  典型的な大鎧は身体の前部即ち腹部や胸部と、後部即ち背部とを覆う部分とが肩部で繋がって一体的に構成され、身体の側部即ち脇腹部などは脇楯と称する他の部材を紐などで前後部材と結び付け、肩部から腕部に掛けて馬手袖や弓手袖と称する鎧状の板で覆うようにして構成されており、就中、端午の節句飾りとして供される鎧は日本の武具である大鎧を参考にしてミニチェアに製作されたものであるから前後方部分と側方部分とが夫々別体で構成されている。【０００４】  そして、このミニチュア化した節句飾り用の鎧兜を飾り付けるためには、従来は図３で示したような芯木１（しんぎ）を用いて鎧の飾り付けをしていた。【０００５】  前記、従来の芯木１は図３で示したように支台２の上面に芯柱３を支立させ、この芯柱３の頂部に兜載台４（冠木）を固着したものであり、芯柱３に対して支台２及び兜載台４（冠木）が釘，膠，木組などの各種の手段で固着されており、このように構成された芯木１は言わば衣桁のように鎧５の肩の部分を兜載台４（冠木）に引懸け、兜載台４（冠木）の上に兜６を載置して飾るものである。【０００６】  ところで、斯の種の節句用に供される鎧は、前記段落［０００３］に記載の大鎧をミニチュア化したものであるから、前後方部分と側方部分とが夫々別体で構成されている。
このため、この鎧を芯木に組み付けた状態で包装・梱包・配送したときは、脇楯や袖の突張りがないため、側方部材が前後部分の間にめり込むなどして、偏平状になってしまうことが生じ、折角の美々しい飾り鎧が変形してしまうという問題点があった。
【考案の開示】
【考案が解決しようとする課題】
【０００７】  本考案は上記従来技術の問題点に鑑みなされたもので、詳しくは本考案は節句用の鎧兜の立体的な美々しい飾り付けを可能にする節句用飾り鎧兜の芯木に係るものである。
【課題を解決するための手段】
【０００８】  本考案は、台盤と，芯柱と，鎧掛    横木と，兜載台とから構成される節句用飾り鎧兜の芯木であって、前記台盤の中央部位に前記芯柱の基部を固着して、台盤上に前記芯柱を直立した状態で立設させ、かつ、前記芯柱の中間部よりやや上部に鎧飾りの胴部の整形を可能にするための一本及び二本もしくは三本の本数で構成される前記鎧掛横木が水平な状態で取り付けられ、前記芯柱の頂部には、前記兜載台が水平な状態で固着されることを特徴とする節句用飾り鎧兜の芯木を提供する。
【考案の効果】
【０００９】  本考案に係る節句用飾り鎧兜の芯木は、請求項１に記載の如くであり、その構成から、次のような特有の効果が生じる。【００１０】  即ち、本考案によれば、左右の馬手袖，弓手袖を鎧飾りの内側で突張るため、両袖は内側へ入り込むようなことがなく、また両袖が鎧の前後部に当たるため、脇楯部をも内側へ入り込まないように保護するから、包装時や梱包・配送時に鎧飾りが変形することを防止する。【００１１】  更に、本考案によれば、芯木に一本又は二本もしくは三本の鎧掛横木を設けたことによって、単に包装・梱包時だけでなく、飾付時にも鎧飾りの胴部と左右両袖との釣合いがよくなり、全体として膨らみのある形に整えられた立体的な飾り付けができ、そのため、節句用鎧飾りは見栄えがし、看者に対しては、立派な鎧飾りを印象付けることができる効果が得られる。【００１２】  また本考案によれば、芯木に一本又は二本もしくは三本の鎧掛横木を取り付けるだけの構造で鎧飾りの変形を防止でき、しかも鎧を所定の位置に安定して飾り付けることができ、更には実施が極めて容易である。【００１３】  更に、芯木は通常木製であるが、その他の材料，例えばプラスチックスや金属などを用いても実施できる。【００１４】  このように本考案に係る節句鎧飾りの芯木は、鎧兜の飾りセットを完成させる場合等の必須付帯道具に使用して最適な効果を齎すものである。
【考案を実施するための最良の形態】
【００１５】  本考案を図示した実施例によって具体的に説明する。
図１は本考案の全体を示す斜視図，図２は芯木構造の第一実施例を示す斜視図，図３は従来技術を示す斜視図，図４は第二実施例による芯木の概略構造を示す断面図，図５は第三実施例による芯木の概略構造を示す断面図である。
図１，図２，図４，図５において、芯木１１は平坦状の台盤１２に芯柱１３の基部を固着し、台盤１２に芯柱１３が直立されているものである。【００１６】  台盤１２と芯柱１３とを固着する手段は、螺着，釘着，接着など或いはその他の手段によってもよい。芯柱１３の頂部には兜戴台１４（冠木）が台盤１２と同様にして固着されている。
また、芯柱１３の中間部よりやや上部であって、鎧飾り１５の袖に相当する高さの部分に、鎧飾りの胴部の整形等を具現する鎧掛横木１６を形成する。この鎧掛横木１６は芯柱１３の表面或いは裏面に釘着その他の手段で固着してもよい。図２で示す第一実施例では、芯柱１３に角孔１７を穿設して、角孔１７に適合する形状に鎧掛横木１６の端部１８を形成し、この端部１８を角孔１７に嵌合させている。鎧掛横木１６は芯柱１３に嵌合させたままでもよいが、接着剤などで固着してもよく、また、鎧掛横木１６を芯柱１３に嵌合させた状態で芯柱１３，鎧掛横木１６を貫通するホゾ孔１９，１９を穿設し、ホゾ２０を挿通させるようにしてもよい。【００１７】  更に、本考案では、図４の第二実施例で示されるように、芯柱１３の中間部よりやや上部であって、鎧飾り１５の袖に相当する高さの位置に固着される鎧掛横木１６の取り付け本数を上下二本にしてもよい。【００１８】  また、本考案では、図５の第三実施例に示されるように、前記鎧掛横木１６の取り付け本数を上下三本にしてもよい。【００１９】  尚、前記の第二，第三実施例における芯柱と鎧掛横木とを固着する手段は、螺着，釘着，接着など或いはその他の公知手段を用いて可能であり、図２に示すような固着手段を採用してもよい。【００２０】  以上のように、芯木１１に鎧飾り１５を装着するに際しては予め組み立てた鎧飾り１５を芯木１１の上部から冠せるようにし、鎧飾り１５の肩部を兜載台１４（冠木）に引懸ければ組立てが終了する。以後、兜２１を鎧飾り１５の兜載台１４（冠木）に載置すれば、節句用鎧兜の飾セットが完成される。この際、鎧掛横木は、鎧飾りの胴部内に張られるので、胴部の本来の膨らんだ形に整えられ、節句用鎧兜の飾り全体に立体的美観を醸し出すことができる。
【図面の簡単な説明】
【００２１】
【図１】本考案の第一実施例を示す全体の斜視図である。
【図２】芯木構造の第一実施例を示す斜視図である。
【図３】従来技術を示す斜視図である。
【図４】芯木構造の第二実施例の概略を示す断面図である。
【図５】芯木構造の第三実施例の概略を示す断面図である。
【符合の説明】
１１    芯木
１２    台盤
１３    芯柱
１４    兜載台（冠木）
１５    鎧飾り
１６    鎧掛横木
１７    角孔
１８    端部
１９    ホゾ孔
２０    ホゾ
２１    兜
【図１】
0003135079.tif 000003
【図２】
0003135079.tif 000004
【図３】
0003135079.tif 000005
【図４】
0003135079.tif 000006
【図５】
0003135079.tif 000007